(57)【要約】      （修正有）【課題】複数の壁面パネルから構成される壁面パネルユニットにおいて、壁面パネル間の間隔を一定とし、シールの品質や断熱性能など、壁面パネル間に介在される材質の品質を安定させることのできる壁面パネルのパネル連結部材及びこのパネル連結部材を用いた壁面パネルユニットを提供する。【解決手段】隣り合う壁面パネルの裏側表面材３０の表面に当接可能な第一当接部７２及び第二当接部７４と、第一当接部７２と第二当接部７４の間に形成される断面凹状の凹設部７６とを備え、凹設部７６は、第一当接部７２の直線状の第一端部から屈曲形成されて連設される第一壁部７７と、第二当接部７４の直線状の第二端部から屈曲形成されて連設されるとともに第一壁部７７と対向して形成される第二壁部７８と、第一壁部７７と第二壁部７８の先端から連設される底板部７９を備えた。【選択図】図４
0003235392.tif 000002
【実用新案登録請求の範囲】
【請求項１】
表側表面材と裏側表面材とを備え前記表側表面材と前記裏側表面材との間に断熱材を設けた複数の壁面パネルを連結する壁面パネルのパネル連結部材であって、隣り合う前記壁面パネルの前記表側表面材又は前記裏側表面材の一方の表面に当接可能な第一当接部及び第二当接部の少なくとも一方と、前記第一当接部と前記第二当接部の間に形成される断面凹状の凹設部とを備え、前記凹設部は、前記第一当接部の直線状の第一端部から屈曲形成されて連設される第一壁部と、前記第二当接部の直線状の第二端部から屈曲形成されて連設されるとともに前記第一壁部と対向して形成される第二壁部と、前記第一壁部と前記第二壁部の先端から連設される底板部とを備えている壁面パネルのパネル連結部材。
【請求項２】
前記第一壁部と前記第二壁部とは平行に形成されている請求項１に記載の壁面パネルのパネル連結部材。
【請求項３】
前記底板部は、前記第一壁部及び前記第二壁部に対して、それぞれ垂直となるように屈曲形成されている請求項１又は請求項２に記載の壁面パネルのパネル連結部材。
【請求項４】
前記第一当接部及び前記第二当接部はいずれも、隣り合う前記壁面パネルの前記表側表面材又は前記裏側表面材の一方の表面に当接可能な形状である請求項１から請求項３のいずれかに記載の壁面パネルのパネル連結部材。
【請求項５】
前記第一壁部、前記第二壁部及び前記底板部は、それぞれ長方形の平板状に形成されている請求項１から請求項４のいずれかに記載の壁面パネルのパネル連結部材。
【請求項６】
前記第一当接部及び前記第二当接部は、それぞれ長方形の平板状に形成されている請求項１から請求項５のいずれかに記載の壁面パネルのパネル連結部材。
【請求項７】
前記請求項１から請求項６のいずれかのパネル連結部材により連結された壁面パネルユニット。
【請求項８】
表側表面材と裏側表面材とを備え前記表側表面材と前記裏側表面材との間に断熱材を設けた複数の壁面パネルを連結する壁面パネルのパネル連結部材であって、隣り合う前記壁面パネルの前記表側表面材又は前記裏側表面材の一方の表面に当接可能な第一当接部及び第二当接部の少なくとも一方と、前記第一当接部と前記第二当接部の間に形成される断面凹状の凹設部とを備え、前記凹設部は、前記第一当接部の直線状の第一端部から屈曲形成されて連設される第一壁部と、前記第二当接部の直線状の第二端部から屈曲形成されて連設されるとともに前記第一壁部と対向して形成される第二壁部と、前記第一壁部と前記第二壁部の先端から連設される底板部とを備え、前記第一壁部と前記第二壁部とは平行に形成され、前記底板部は、前記第一壁部及び前記第二壁部に対して、それぞれ垂直となるように屈曲形成され、前記第一当接部及び前記第二当接部はいずれも、隣り合う前記壁面パネルの前記表側表面材又は前記裏側表面材の一方の表面に当接可能な形状であり、前記第一壁部、前記第二壁部及び前記底板部は、それぞれ長方形の平板状に形成され、前記第一当接部及び前記第二当接部は、それぞれ長方形の平板状に形成されている壁面パネルのパネル連結部材。
【請求項９】
前記請求項１から請求項６又は請求項８のいずれかのパネル連結部材により連結された壁面パネルユニットであって、前記パネル連結部材は、前記壁面パネルに向き合うようにして取り付けられた平面視「コ字」状の２つの胴縁材を介して前記壁面パネルに固定されている壁面パネルユニット。
【考案の詳細な説明】
【技術分野】
【０００１】
本考案は、壁面パネルのパネル連結部材及びこのパネル連結部材を用いた壁面パネルユニットに関する。
【背景技術】
【０００２】
従来から、表裏に鋼材等の表面材（パネル）を配し、これらの表面材の間にロックウール等の不燃性を有した断熱材を挟み込んでサンドイッチ構造とした壁面パネルが知られている。このような壁面パネルは、ロックウールのように内部に小さな空間を有しながらも一定以上の密度の断熱材をパネル間に配置することにより、加熱された表面材から反対側への表面材への空気を介する熱の移動を制限して耐火・難燃性・不燃性等の効果を向上させることができる。そして、予め一定の大きさに形成されている複数の壁面パネルを組み付けた壁面パネルユニットにより、例えば製造工場や冷蔵庫などの躯体の壁面が構成されている。また、これらの壁面パネル間には、シーリング材や充填剤が挟み込まれている（特許文献１）。
【先行技術文献】
【特許文献】
【０００３】
【特許文献１】特開２００４−０１１３７４公報（図１等）
【考案の概要】
【考案が解決しようとする課題】
【０００４】
しかしながら従来の壁面パネルでは、複数の壁面パネルを嵌合させて組み合わせて壁面パネルユニットとする場合に、設置現場の状況・壁面パネルユニットと組み合わせる他の部材との組み合わせ状況・壁面パネルの大きさ等の差異・作業者の熟練度等の事情により、壁面パネルのつなぎ目である嵌合部のすべてにおいて、その間隔を所定の距離とすることが困難な場合が生ずる。このため、予め想定されている壁面パネル間の間隔でその機能を適切に奏するシーリング材や充填剤が、壁面パネル間の間隔が想定とは異なってしまうために十分に機能を奏しない、すなわち壁面パネル間に介在されるシールの品質が安定しなかったり、シール不足による水漏れ等の原因となっていたり、断熱性能が低下する等のおそれがあった。。
【０００５】
本考案は、前述した従来の壁面パネルの問題点を解決するものであり、複数の壁面パネルから構成される壁面パネルユニットにおいて、壁面パネル間の間隔を一定とし、シールの品質や断熱性能など、壁面パネル間に介在される材質の品質を安定させることのできる壁面パネルのパネル連結部材及びこのパネル連結部材を用いた壁面パネルユニットを提供することを目的とする。
【課題を解決するための手段】
【０００６】
前述の目的を達成する手段は、以下のものである。
（１）表側表面材と裏側表面材とを備え前記表側表面材と前記裏側表面材との間に断熱材を設けた複数の壁面パネルを連結する壁面パネルのパネル連結部材であって、隣り合う前記壁面パネルの前記表側表面材又は前記裏側表面材の一方の表面に当接可能な第一当接部及び第二当接部の少なくとも一方と、前記第一当接部と前記第二当接部の間に形成される断面凹状の凹設部とを備え、前記凹設部は、前記第一当接部の直線状の第一端部から屈曲形成されて連設される第一壁部と、前記第二当接部の直線状の第二端部から屈曲形成されて連設されるとともに前記第一壁部と対向して形成される第二壁部と、前記第一壁部と前記第二壁部の先端から連設される底板部とを備えている壁面パネルのパネル連結部材。
（２）前記第一壁部と前記第二壁部とは平行に形成されている（１）に記載の壁面パネルのパネル連結部材。
（３）前記底板部は、前記第一壁部及び前記第二壁部に対して、それぞれ垂直となるように屈曲形成されている（１）又は（２）に記載の壁面パネルのパネル連結部材。
（４）前記第一当接部及び前記第二当接部はいずれも、隣り合う前記壁面パネルの前記表側表面材又は前記裏側表面材の一方の表面に当接可能な形状である（１）から（３）のいずれかに記載の壁面パネルのパネル連結部材。
（５）前記第一壁部、前記第二壁部及び前記底板部は、それぞれ長方形の平板状に形成されている（１）から（４）のいずれかに記載の壁面パネルのパネル連結部材。
（６）前記第一当接部及び前記第二当接部は、それぞれ長方形の平板状に形成されている（１）から（５）のいずれかに記載の壁面パネルのパネル連結部材。
（７）前記（１）から（６）のいずれかのパネル連結部材により連結された壁面パネルユニット。
（８）表側表面材と裏側表面材とを備え前記表側表面材と前記裏側表面材との間に断熱材を設けた複数の壁面パネルを連結する壁面パネルのパネル連結部材であって、隣り合う前記壁面パネルの前記表側表面材又は前記裏側表面材の一方の表面に当接可能な第一当接部及び第二当接部の少なくとも一方と、前記第一当接部と前記第二当接部の間に形成される断面凹状の凹設部とを備え、前記凹設部は、前記第一当接部の直線状の第一端部から屈曲形成されて連設される第一壁部と、前記第二当接部の直線状の第二端部から屈曲形成されて連設されるとともに前記第一壁部と対向して形成される第二壁部と、前記第一壁部と前記第二壁部の先端から連設される底板部とを備え、前記第一壁部と前記第二壁部とは平行に形成され、前記底板部は、前記第一壁部及び前記第二壁部に対して、それぞれ垂直となるように屈曲形成され、前記第一当接部及び前記第二当接部はいずれも、隣り合う前記壁面パネルの前記表側表面材又は前記裏側表面材の一方の表面に当接可能な形状であり、前記第一壁部、前記第二壁部及び前記底板部は、それぞれ長方形の平板状に形成され、前記第一当接部及び前記第二当接部は、それぞれ長方形の平板状に形成されている壁面パネルのパネル連結部材。
（９）前記（１）から（６）又は（８）のいずれかのパネル連結部材により連結された壁面パネルユニットであって、前記パネル連結部材は、前記壁面パネルに向き合うようにして取り付けられた平面視「コ字」状の２つの胴縁材を介して前記壁面パネルに固定されている壁面パネルユニット。
【考案の効果】
【０００７】
本考案の壁面パネルのパネル連結部材及びこのパネル連結部材を用いた壁面パネルユニットでは、パネル連結部材は、壁面パネルの前記表側表面材又は前記裏側表面材の一方の表面に少なくとも一方が当接可能な第一当接部及び第二当接部と、前記第一当接部と前記第二当接部の間に形成される断面凹状の凹設部とを備え、前記凹設部は、前記第一当接部の直線状の第一端部から屈曲形成されて連設される第一壁部と、前記第二当接部の直線状の第二端部から屈曲形成されて連設されるとともに前記第一壁部と平行に形成される第二壁部と、前記第一壁部と前記第二壁部の先端から連設される底板部とを備えているので、隣り合う壁面パネル間に取り付けることにより、壁面パネル間の間隔を容易に一定にすることができる。よって、シールの品質や断熱性能など、壁面パネル間に介在される材質の品質を安定させることができる。
【図面の簡単な説明】
【０００８】
【図１】図１は、本考案のパネル連結部材を用いた壁面パネルを複数組み合わせた壁面パネルユニットの一部破断正面図である。
【図２】図２は、図１の壁面パネルユニットのＡ−Ａ線断面図である。
【図３】図３は本考案の壁面パネルユニットの設置状態の斜視図である。
【図４】図４は、図２の要部拡大図面である。
【図５】図５は、本考案のパネル連結部材の正面側斜視図である。
【図６】図６は、本考案のパネル連結部材の背面面側斜視図である。
【考案を実施するための形態】
【０００９】
以下、本考案のパネル連結部材及びこれを用いた壁面パネルについて、図面に示した実施の形態を用いて説明する。図１に示されるように、本考案のパネル連結部材７０が用いられる壁面パネル１０は正面視矩形状の平板形状に形成されている。壁面パネル１０は一定の大きさに形成されており、この壁面パネル１０が複数組み合わされて、例えば製造工場や冷蔵庫などの躯体の壁面を構成する壁面パネルユニット１となる。そしてこのような壁面パネルユニット１は、図３に示されるように、床面を構成する躯体の一部に設置固定される。
【００１０】
壁面パネル１０は、図３に示されるように、本例では横長の長方形状に形成されている。本例では、この壁面パネル１０は、縦が約１０００ｍｍ、横が約３０００ｍｍ、厚みが約７５ｍｍに形成されているが、これらは種々の変更が可能であり、平板状の壁面パネルを組み合わせた壁面パネルユニットであれば、各種の寸法に制限はない。壁面パネル１０は、図２に示されるように、表側表面材２０及び裏側表面材３０と、これらの表面材２０，３０の間に挟み込まれた断熱材４０を備えている。
【００１１】
表側表面材２０及び裏側表面材３０は、表面側にポリエステル系樹脂等、裏面側にエポキシ系樹脂等を塗装した溶融亜鉛めっき鋼板である。表側表面材２０及び裏側表面材３０共に、縦が約１０００ｍｍ、横が約３０００ｍｍ、厚みが約０．５ｍｍに形成されているが、これらは種々の変更が可能であり、各種の寸法に制限はない。そして本例では、表側表面材２０は屋外側に、裏側表面材３０は屋内側に配設されるように定められている。なお、材質としては、ほうろう鋼板、フッ素樹脂塗装鋼板その他、耐熱性の高い特殊鋼板、ステンレス鋼板、非鉄金属板あるいはそれらの合金板等であっても良い。
【００１２】
断熱材４０は、二酸化けい素や酸化カルシウム等を材料とするいわゆるロックウールである。断熱材４０は、挟み込む表側表面材２０及び裏側表面材３０と同様に、縦が約１０００ｍｍ、横が約３０００ｍｍに形成されており、厚みについては、両表面材２０、３０の間に挟み込まれる前の状態では、約７５ｍｍに形成されている。そして断熱材４０は、前述したように、壁面パネル１０の両表面材２０，３０の間に充填された状態においては、壁面パネル１０の厚みが約７５ｍｍとなるように両表面材２０，３０の間において圧縮された状態とされている。そしてこの断熱材４０は、ウレタン樹脂系等の接着剤により、両表面材２０，３０の裏側面に接着固定されている。なお断熱材は、例えば発泡スチレン、発泡ウレタン等の板状の発泡樹脂やグラスウール等であっても良い。
【００１３】
図３に示されるように、壁面パネル１０の下端辺は、幅方向において中央が凹状に形成された凹状部１２とされている。一方、壁面パネル１０の上端辺は、幅方向において中央が凸状に形成された凸状部１４とされている。複数の壁面パネル１０は上下方向においてこれらの凹状部１２および凸状部１４が嵌合されて固定されている。
【００１４】
図２及び図３に示されるように、各壁面パネル１０は、横方向に隣り合う壁面パネル１０の接合部に沿って縦方向に配設された胴縁材６０と、パネル連結部材７０と、スクリューボルト６４とを介して相互に固定されている。胴縁材６０は、リップ溝形鋼と呼ばれるものであり、一般構造用圧延鋼材(JIS G 3101)等の材質により形成されている。
【００１５】
胴縁材６０は、壁面パネル１０の裏側から、複数の壁面パネル１０の縦方向の接合部に沿って取り付けられている。図２に示されるように、平面視「コ字」状の胴縁材６０が２つ、向き合うようにして取り付けられている。これらの胴縁材６０は、平面視「ｈａｔ型」のパネル連結部材７０を介して壁面パネル１０に固定されている。より具体的には、裏側表面材３０の裏側からねじ込まれるスクリューボルト６４が、裏側表面材３０、パネル連結部材７０及び胴縁材６０にねじ込まれて、これらの各部材が固定されている。スクリューボルト６４は、一つのパネル連結部材７０に対して２本用いられて固定されている。なお、スクリューボルト６４はいわゆるアンカーボルトであり、アンカードリルにより孔空け作業及びねじ止め作業を下孔無しで一度にできるものである。
【００１６】
次いでパネル連結部材７０の詳細について説明する。図４から図６に示されるように、パネル連結部材７０は、平面視（壁面パネル１０の上方から見た方向）において同一面上にそれぞれ位置される平板状の第一当接部７２及び第二当接部７４を備えている。また、これらの当接部７２，７４間に設けられた平面視「コ字」状の凹設部７６を備えている。このようにして、パネル連結部材７０は平面視において全体がいわゆる「ｈａｔ」形状に形成されている。また、正面視（壁面パネル１０の表側表面材２０から見た厚み方向）においては全体が長方形状に形成されている。このパネル連結部材７０は亜鉛めっき鋼板製であり、厚さは１．６ｍｍとされている。
【００１７】
パネル連結部材７０の第一当接部７２及び第二当接部７４は、それぞれ正面視において長方形状の平板状に設けられており、平面視においては同一平面内に構成されるように形成されている。よって、取り付けられる各壁面パネル１０の裏側表面材３０の表面に沿って広い範囲に渡って確実に当接可能となっており、壁面パネル１０への固定がより確実となるように構成されている。
【００１８】
第一当接部７２の内側の第一端部７３と第二当接部７４の内側の第二端部７５との間には、平面視「コ字」状の凹設部７６が備えられている。凹設部７６は、第一端部に対してほぼ垂直に屈曲して延設される第一壁部７７と、第二端部７５に対して第一壁部７３と同方向にほぼ垂直に屈曲して延設される第二壁部７８と、これらの第一壁部７７及び第二壁部７６の先端からそれぞれほぼ垂直に延設されて第一当接部７２及び第二当接部７４と平行に形成されている平板状の底板部７９とを備えている。このように構成された凹設部７６の第一壁部７７と第二壁部７８は、パネル連結部材７０の上下方向（壁面パネル１０に取り付けられた際の壁面パネル１０の上下方向）において、所定の間隔をもって形成されており、本例においては、第一壁部７７と第二壁部７８との間隔はそれらのすべての部位において約１５ｍｍに構成されている。すなわち図４に示されるように、第一壁部７７と第二壁部７８との両側に介在される隣り合う壁面パネル１０の間隔は、第一壁部７７と第二壁部７８との間隔である約１５ｍｍの間隔をおいて固定されることになる。
【００１９】
また、第一壁部７７及び第二壁部７８の前後方向（壁面パネル１０に取り付けられた際の壁面パネル１０の前後方向すなわち壁面パネル１０の厚み方向）の長さは、いずれも約１５ｍｍの長さに構成されている。そして第一壁部７７及び第二壁部７８の先端に形成されている底板部７９も第一当接部７２及び第二当接部７４から奥側方向に約１５ｍｍの位置に設けられている。また、第一当接部７２の左右方向（壁面パネル１０に取り付けられた際の壁面パネル１０の左右方向すなわち壁面パネル１０の表面に沿った方向）において、約３０ｍｍの長さに構成されている。同様に、第二当接部７４の左右方向（壁面パネル１０に取り付けられた際の壁面パネル１０の左右方向すなわち壁面パネル１０の表面に沿った方向）において、約３０ｍｍの長さに構成されている。
【００２０】
図４に示されるように、壁面パネル１０の縦方向の接合部位において、パネル連結部材７０の凹設部７６よりも表側表面材２０方向の部位には、断熱用の充てん材６６が充てんされている。充てん材６６はアルカリアースシリケート（AES）ウール製であり、ブランケット状に形成されたものを圧縮し、隣り合う壁面パネル１０間に充てんされている。アルカリアースシリケートの詳細は本例では以下の通りであり、組成(質量％)は以下のとおりである。二酸化硫黄：５８〜６７、酸化カルシウム：２６〜３４、酸化マグネシウム：２〜８、酸化アルミニウム：１以下、その他（バインダー等）０〜４。また、密度は約９６ｋｇ／ｍ３であり、幅約１５ｍｍ、長さ約５０ｍｍとされている（なお、当初約２０ｍｍ、長さ約１００ｍｍのものを圧縮して取り付けられている）
【００２１】
また、充てん材６６よりも表側表面材２０寄りにはシーリング材６８が固着されており、壁面パネル１０の表側からの水分の浸入を防ぐように構成されている。シーリング材６８は本例ではウレタン系樹脂を用いているが、アクリル系樹脂、シリコン系樹脂、変性シリコン系樹脂又はエポキシ系樹脂など他の樹脂でも良い。シーリング材６８は、幅約１５ｍｍ、深さ約１０ｍｍに形成されている。
【００２２】
以上のように構成されたパネル連結部材７０は、前述のように、横方向に隣り合う壁面パネル１０の接合部に沿って縦方向に配設された胴縁材６０と、スクリューボルト６４とにより、壁面パネル１０の裏側表面材３０に対して固定されている。なお、図５及び図６に示されるように、当初のパネル連結部材７０にはスクリューボルト６４を挿通するための挿通孔は予め設けられておらず、壁面パネルユニット１の設置場所において、胴縁材６０及び裏側表面材３０と同様にスクリューボルト６４用の挿通孔を設けて、その後にスクリューボルト６４により固定される。これは、あらかじめこれらの各部材に挿通孔を設けている場合に、設置場所においてこれらの複数の部材の挿通孔の位置が一致せずに、スクリューボルト６４の挿通が困難となることを避けるためであるが、このような位置合わせに支障が無い場合には、これらの挿通孔を各部材にあらかじめ設けておくことも可能である。
【００２３】
そしてこのように構成されたパネル連結部材７０が、前述したように凹設部７６が隣り合う壁面パネル１０の間に挟み込まれるようにして取り付けられるので、壁面パネルユニット１を設置する際に、隣り合う壁面パネル１０の間隔を凹設部７６の幅通りに簡便に設置できる。本例では前述のように、凹設部７６の幅、すなわち凹設部７６の第一壁部７３と第二壁部７５との間隔である約１５ｍｍの間隔で、隣り合う壁面パネル１０の間隔を位置決めすることができる。よって、設置現場の状況・壁面パネルユニット１と組み合わせる他の部材との組み合わせ状況・壁面パネル１０の大きさ等の差異・作業者の熟練度等の事情によっても、隣り合う壁面パネル１０の間隔を簡便に一定に定めることができる。したがって、充てん材６６やシーリング材６８は、隣り合う壁面パネル１０の間のあらかじめ想定されている一定の間隔の隙間に取り付けることができるので、充てん材６６やシーリング材６８に対して想定されている当初の性能を奏することができ、間隔が予定と異なることにより断熱性能が十分でなくなったり、シール不足で水が浸入する等のおそれを容易に防止することができる。
【００２４】
本考案のパネル連結部材は、前述したパネル連結部材７０に限られるものではなく、また本考案の壁面パネルユニットも前述した壁面パネルユニット１に限られるものではなく、本考案の主旨の範囲内で適宜変更が可能である。例えば、パネル連結部材の各サイズは適宜変更可能である。例えば凹設部の奥行きは、必要な充てん材の長さやシーリング材の長さの変更に伴って変更しても良い。また第一当接部及び第二当接部の正面視形状は長方形状に限るものではなく、それぞれが適切に壁面パネル表面に当接可能な形状であれば良い。また、凹設部については、前述の例では、第一当接部及び第二当接部側が開放された形状の平面視「コ字」状であるがこれに限らず、当該部位が閉塞された「ロ字」状であっても良い。また、凹設部の第一壁部、第二壁部及び底板部は、完全な一枚の平板状に限るものではなく、必要な孔が開口されたような形状でも良い。また、前述の例では壁面パネルの裏側表面材に取り付けられる例を示したが、表側表面材に取り付けることとしても良い。
【００２５】
また、前述の例では壁面パネルの表面に当接可能な第一当接部及び第二当接部がいずれも備えられており、壁面パネルに確実に位置決めされるように構成されているが、第一当接部又は第二当接部のいずれかを省略することもできる。また、第一壁部及び第二壁部は前述のように平行に形成されることが壁面パネル間の間隔を的確に定めるために望ましいが、平行ではないが壁面パネル間の間隔を一定とすることが可能な形状とすることも可能である。また、左右方向に隣り合う壁面パネル間にパネル連結部材を用いるだけではなく、上下方向に隣り合う壁面パネル間に用いても良い。
【産業上の利用可能性】
【００２６】
本考案は、種々の建築物及び構造物に用いる壁面パネルのパネル連結部材及びこれを用いた壁面パネルユニットに広く利用することができる。
【符号の説明】
【００２７】
１；壁面パネルユニット、１０；壁面パネル、１２；凹状部、１４；凸状部、２０；表側表面材、３０；裏側表面材、４０；断熱材、６０；胴縁材、６４；スクリューボルト、６６；充てん材、６８；シーリング材、７０；パネル連結部材、７２；第一当接部、７３；第一端部、７４；第二当接部、７５；第二端部、７６；凹設部、７７；第一壁部、７８、第二壁部、７９；底板部。
【図１】
0003235392.tif 000003
【図２】
0003235392.tif 000004
【図３】
0003235392.tif 000005
【図４】
0003235392.tif 000006
【図５】
0003235392.tif 000007
【図６】
0003235392.tif 000008